(57)【特許請求の範囲】
【請求項１】
入賞空間の前扉を電動装置により開閉するパチンコ機の入賞装置において、入賞空間の奥壁に玉の特定入賞口と一般入賞口とを設け、入賞空間の底部を前後方向には後ろを低く、横方向には一般入賞口の前が最低で特定入賞口は傾斜の途中に位置するように左右に傾斜して設けるとともに、特定入賞口の底部に玉の入賞を規制する規制部材を設けたことを特徴とするパチンコ機の入賞装置。
【請求項２】
前扉が開放されて特定入賞口に最初の玉が入賞した時に、前記規制部材の凸状部を特定入賞口の底部から突出させて玉の入賞を規制し、その後の玉を一般入賞口に導入するとともに、所定量の玉が特定入賞口および一般入賞口に導入されて前扉を閉鎖する時に、前扉の閉鎖に連動して前記凸状部の突出を解除するものとした請求項１に記載のパチンコ機の入賞装置。
【請求項３】
規制部材の回動を係止して前記凸状部を特定入賞口の底部に押し下げた状態に保持する係止部材を設け、該係止部材が規制部材の回動を係止ししている時は係止部材の一端に設けた起動部が玉通路に臨んでおり、特定入賞口に入賞した玉の通過により起動部が玉通路外に押し出されることにより係止が解除されて凸状部が底部より突出するものとした請求項１又は２に記載のパチンコ機の入賞装置。
【請求項４】
前扉の左右の支軸を入賞空間の側壁に軸着し、一方の支軸には電動装置により開閉部材を介して前扉を開閉する作用片を設けるとともに、前扉の下端には前扉が開放状態から閉鎖状態に回動する時に前記規制部材の先端部を押し下げる規制解除片を設けたものとした請求項１〜３の何れかに記載のパチンコ機の入賞装置。
【請求項５】
入賞装置の筐体部を、前方から入賞空間構成部、入賞玉通路構成部及び機構掩蔽部とにより構成し、前扉、開閉部材、特定入賞口の規制部材及び係止部材の各々の支軸を前記構成部の側壁に設けた凹型切り込みに嵌入して支承するものとした請求項１〜４の何れかに記載のパチンコ機の入賞装置。
【請求項６】
一組の電動装置により、前扉の開閉及び特定入賞口への入賞の制御を行うものとした請求項１〜５の何れかに記載のパチンコ機の入賞装置。
【請求項７】
前扉を開閉する電動装置に加え、特定入賞口への入賞の制御を行う専用の電動装置を設けたものとした請求項１又は請求項２に記載のパチンコ機の入賞装置。
【発明の詳細な説明】
【０００１】
【発明の属する技術分野】
本発明は、玉の入賞を制御するパチンコ機の入賞装置に関する。
【０００２】
【従来の技術】
パチンコ機の遊技盤には、玉の入賞を大きく左右する入賞装置が設けられており、大当り状態になってその前扉が開くと、所定数の玉を入賞させる一般入賞口や、玉が入賞すると再度大当り状態となって前扉を開放する特定入賞口が設けられている。
しかしながら、従来の入賞装置の特定入賞口や一般入賞口は入賞空間の底に設けられていたために玉受けの装置を設ける必要があり、玉の通路分だけ遊技盤を高くする必要があった。また、扉の開閉や入賞の制御機構が複雑で組み立てがしにくいものであった。また、扉が開放された状態にある時にはその開閉部材が入賞空間に露出して見栄えが悪いものであった。
【０００３】
【発明が解決しようとする課題】
本発明は、前扉の開閉及び入賞の制御機構を簡素化して、組み付けが容易で見栄えのよいパチンコ機の入賞装置を提供することを課題とする。
【０００４】
【課題を解決するための手段】
上記の課題を解決するためになされた請求項１に記載の発明は、入賞空間の前扉を電動装置により開閉するパチンコ機の入賞装置において、入賞空間の奥壁に玉の特定入賞口と一般入賞口とを設け、入賞空間の底部を前後方向には後ろを低く、横方向には一般入賞口の前が最低で特定入賞口は傾斜の途中に位置するように左右に傾斜して設けるとともに、特定入賞口の底部に玉の入賞を規制する規制部材を設けたことを特徴とするものである。
【０００５】
請求項２に記載の発明は、請求項１に記載の発明において、前扉が開放されて特定入賞口に最初の玉が入賞した時に、前記規制部材の凸状部を特定入賞口の底部から突出させて玉の入賞を規制し、その後の玉を一般入賞口に導入するとともに、所定量の玉が特定入賞口および一般入賞口に導入されて前扉を閉鎖する時に、前扉の閉鎖に連動して前記凸状部の突出を解除するものである。
【０００６】
請求項３に記載の発明は、請求項１又は２に記載の発明において、規制部材の回動を係止して前記凸状部を特定入賞口の底部に押し下げた状態に保持する係止部材を設け、該係止部材が規制部材の回動を係止している時は係止部材の一端に設けた起動部が玉通路に臨んでおり、特定入賞口に入賞した玉の通過により起動部が玉通路外に押し出されることにより係止が解除されて凸状部が底部より突出するものである。
【０００７】
請求項４に記載の発明は、請求項１〜３の何れかに記載の発明において、前扉の左右の支軸を入賞空間の側壁に軸着し、一方の支軸には電動装置により開閉部材を介して前扉を開閉する作用片を設けるとともに、前扉の下端には前扉が開放状態から閉鎖状態に回動する時に前記規制部材の先端部を押し下げる規制解除片を設けたものである。
【０００８】
請求項５に記載の発明は、請求項１〜４の何れかに記載の発明において、入賞装置の筐体部を、前方から入賞空間構成部、入賞玉通路構成部及び機構掩蔽部とにより構成し、前扉、開閉部材、特定入賞口の規制部材及び係止部材の各々の支軸を前記構成部の側壁に設けた凹型切り込みに嵌入して支承するものである。
【０００９】
請求項６に記載の発明は、請求項１〜５の何れかに記載の発明において、一組の電動装置により、前扉の開閉及び特定入賞口への入賞の制御を行うものである。
【００１０】
請求項７に記載の発明は、請求項１又は請求項２に記載の発明において、前扉を開閉する電動装置に加え、特定入賞口への入賞の制御を行う専用の電動装置を設けたものである。
【００１１】
【発明の実施の形態】
本発明の好ましい実施形態を図により説明する。図１は本発明の入賞装置１の正面図であって、前扉１０は閉じられた状態にある。
図２は本発明の入賞装置１の平面図であって、中央部付近には玉計数装置５８を有する特定入賞口玉通路５１と一般入賞口玉通路５２が配置されている。
そして図３は、図２のＢ−Ｂ断面図であって、本発明の入賞装置１においては、入賞空間４の奥壁の中央付近には特定入賞口２と、一般入賞口３とが並んで設けられている。入賞空間４の底部５は、前後方向には前から後ろに向けて低く、横方向には一般入賞口３の前が最低で特定入賞口は傾斜の途中に位置するように左右に傾斜させた斜面となっている。傾斜の底部に一般入賞口が設けられ、その傾斜の途中に特定入賞口が設けられた構造となっており、特定入賞口への入賞の確率を低いものとしている。
さらに、特定入賞口２の底部には、底部より突出することにより特定入賞口２への入賞を規制する凸状部を有する規制部材２０が設けられている。
【００１２】
図４は前扉が開放された時の図１のＡ−Ａ部における水平断面図であり、図５は図４におけるＤ−Ｄ断面における玉の入賞を説明する図である。
図５において特定入賞口への玉の入賞の規制及び解除を行う部材は、係止部材３０と規制部材２０と前扉１０により構成されている。係止部材３０は支軸３３の一端に重錘３４と係止凸起３２を有し他端に駆動部３１を有しており、規制部材２０は支軸２４の近傍に重錘２５と、支軸の一端に係止凸起３２と係合する回動係止片２３と、回動係止片にほぼ直角方向に突き出した一片に先端部２２と凸状部２１を有しており、前扉１０の支点１２の下端には規制解除片１１が設けられている。
前扉１０が開放されている図５においては、係止部材３０は一端が重錘３４により押し下げられて、係止凸起３２が回動係止片２３を係止することによって規制部材２０の回動を係止し、他端の起動部３１を特定入賞口玉通路５１に臨んだ状態に保持している。また、この係止によって凸状部２１は底部５と同じ高さに抑えられて玉６の特定入賞口２への導入を可能な状態に保持している。
【００１３】
特定入賞口２に最初の玉が入賞した時は、図６に示すように、通過する玉６により起動部３１は玉通路５１の側壁方向に押し出され、これによって係止部材は回動して係止凸起３２が少し持ち上げられて、規制部材の回動係止片２３の係止が解除される。そして、規制部材の係止が解除されることによって支軸の一端の重錘２５により他端の凸状部２１が持ち上げられて、入賞空間の底部５より突出し、即ち丁度敷居を高くしたような状態として特定入賞口への入賞を規制し、以降の入賞玉は一般入賞口に導入するものとなっている。
【００１４】
特定入賞口および一般入賞口に所定数の玉が入賞し前扉が電動装置により閉じられる時には、図７に示すように、前扉１０の下端に設けた規制解除片１１が規制部材の先端部２２を押し下げ、規制部材の回動係止片２３と係止部材の係止凸起３２とが再び係止状態になることによって、凸状部２１が再び底部５と同じ高さにまで押し下げられた状態に復元して、特定入賞口への入賞の規制が解除されるのである。
以上のように前扉の閉鎖と連動して凸状部を底部に押し下げる構造とすることにより専用の電動装置を設ける必要がなくなる効果がもたらされる。
【００１５】
前扉の開閉機構は、図８〜９に示すように、電動装置５３ａと、開閉部材１４と、前扉の開閉をする作用片１３とにより構成される。
電動装置５３ａはスイッチが入った状態で磁芯５４ａを上に吸引するものであり、開閉部材１４は支軸１６の一端に重錘１５を有し、他方の先端に前扉の開閉に直接関与する作用軸１８と、磁芯５４ａとともに上下動する駆動軸１７を有している。そして前扉１０の支軸１２の一端には前扉の開閉を行う作用片１３が設けられている。
図８に示すように、前扉が閉鎖状態にある時は、電動装置５３ａのスイッチが切れていてバネ５７ａの反発力により磁芯５４ａは押し下げられ、駆動軸１７を押し下げることによって支軸１６を支点として作用軸１８を押し下げ、これによって前扉の作用片１３が支軸１２を支点として下方に回動して前扉１０が閉鎖状態になる。
【００１６】
一方前扉が開放される時は、図９に示すように、電動装置５３ａにスイッチが入り磁芯５４ａが上方に吸引されることにより、前扉開閉部材１４の一端の重錘１５が下がり、他端の駆動軸１７とともに作用軸１８が持ち上げられ、これに連動して作用片１３が上方に回動して前扉１０を開放状態とする。
【００１７】
入賞装置１の筐体部は、図２に示すとおり、前方から入賞空間構成部４０、入賞玉通路構成部５０及び機構掩蔽部６０よりなり、これら３構成部はネジ６１により一体物に組み立てられるものである。
入賞装置を構成する前扉、前扉開閉部材、特定入賞口の規制部材及び係止部材の各々の支軸は、前記３構成部の外側壁、中間側壁の最後部に横方向に設けた凹型切り込みに支軸が嵌入されることにより所定の位置に支承される。
即ち、図１０に示すように、前扉の支軸１２は入賞空間構成部４０の側壁の最後部に設けられた凹型切り込み５９に嵌入されて、後方よりは入賞玉通路構成部５０の側壁により抑えられて組み付けられている。また、前扉の開閉部材の支軸１６は、入賞玉通路構成部５０の側壁最後部に設けられた凹型切り込み５９に嵌入されて、後方よりは機構掩蔽部６０の側壁により抑えられている。
そして、図１１及び図１２に示すように、規制部材の支軸２４と係止部材の支軸３３も、いずれも入賞玉通路構成部５０の側壁最後部に設けられた凹型切り込み５９に嵌入されて、後方よりは機構掩蔽部６０の側壁により抑えられて組み付けられている。
【００１８】
入賞装置を構成する各部材を電動装置により駆動する場合、図４に示すように、入賞装置の右よりに配設した一つの電動装置５３ａにより行うのが望ましい。電動装置を一つとすることによりコストダウンを図ることができるとともに、電気回路が簡単になり故障が少なくなる、制御が簡単になる等のメリットがもたらされる。
【００１９】
なお、特定入賞口の規制部材２０の駆動を，図１３に示すように、専用の電動装置５３ｂにより行うことも可能である。即ち、図１４に示すように、電動装置５３ｂのスイッチが切れている時にはバネ５７ｂの反発力により磁芯５４ｂが押し下げられて、駆動軸２６を押し下げ、凸状部２１が入賞空間の底部５と同じ高さに抑えられて、玉の入賞を可能とする。
一方、図１５に示すように、特定入賞口２に最初の玉が入った時には玉計数装置により玉の入賞を検知して電動装置５３ｂのスイッチが入り、磁芯５４ｂが上に吸引されて、凸状部２１を入賞空間の底部５より突出させて玉の入賞を規制するものである。
【００２０】
【発明の効果】
以上に説明したように、奥壁に特定入賞口と一般入賞口を設けることにより、玉の排出口を遊技盤の板厚（約１９ｍｍ）の後ろとすることができ玉受けの装置を遊技盤内に設ける必要がなくなって玉の通路分だけ高さを低くすることが出来る。また、前扉の開閉及び入賞の制御機構が簡素化されて故障が少なく、組み付けが容易で、且つ、見栄えのよいパチンコ機の入賞装置を提供することができる。
【図面の簡単な説明】
【図１】  本発明の入賞装置の正面図。
【図２】  図１に示す入賞装置の平面図。
【図３】  図２のＢ−Ｂにおける垂直断面図。
【図４】  図１のＡ−Ａにおける水平断面図。
【図５】  図４のＤ−Ｄ断面において特定入賞口への玉の入賞を説明する図。
【図６】  図４のＤ−Ｄ断面において特定入賞口への玉の入賞の規制を説明する図。
【図７】  図４のＤ−Ｄ断面において前扉の閉鎖により特定入賞口への玉の入賞の規制解除を説明する図。
【図８】  図４のＡ−Ａ断面において前扉の閉鎖状態を説明する図。
【図９】  図４のＡ−Ａ断面において前扉の開放状態を説明する図。
【図１０】  図４のＥ−Ｅ断面図。
【図１１】  図４のＦ−Ｆ断面図。
【図１２】  図４のＧ−Ｇ断面図。
【図１３】  特定入賞口の規制部材の駆動を専用の電動装置で行う入賞装置の平面図。
【図１４】  図１３のＣ−Ｃ断面において規制部材の規制が解除された状態を説明する図。
【図１５】  図１３のＣ−Ｃ断面において特定入賞口への玉の入賞の規制を説明する図。
【符号の説明】
１  入賞装置
２  特定入賞口
３  一般入賞口
４  入賞空間
５  底部
６  玉
７  奥壁
１０  前扉
１１  規制解除片
１２、１６、２４、３３  支軸
１３  開閉作用片
１４  開閉部材
１５、２５、３４  重錘
１７、２６  駆動軸
１８  作用軸
２０  規制部材
２１  凸状部
２２  先端部
２３  回動係止片
３０  係止部材
３１  起動部
３２  係止凸起
４０  入賞空間構成部
５０  入賞玉通路構成部
５１  特定入賞口玉通路
５２  一般入賞口玉通路
５３ａ、５３ｂ  電動装置
５４ａ、５４ｂ  磁芯
５７ａ、５７ｂ  バネ
５８  玉計数装置
５９  凹形切り込み
６０  機構掩蔽部
【図１】
0004363731.tif 000002
【図２】
0004363731.tif 000003
【図３】
0004363731.tif 000004
【図４】
0004363731.tif 000005
【図５】
0004363731.tif 000006
【図６】
0004363731.tif 000007
【図７】
0004363731.tif 000008
【図８】
0004363731.tif 000009
【図９】
0004363731.tif 000010
【図１０】
0004363731.tif 000011
【図１１】
0004363731.tif 000012
【図１２】
0004363731.tif 000013
【図１３】
0004363731.tif 000014
【図１４】
0004363731.tif 000015
【図１５】
0004363731.tif 000016